(57)【要約】【課題】設置や移転を行う度に組立・解体をする必要がなく、外装と内装を整えるだけで簡単に開店することができる店舗用建物。【解決手段】収納庫用建物ユニット１１を配置し、収納庫用建物ユニット１１にアンカー１７を地面に固定する。次に、連絡用出入口７が連絡用出入口１３と対向するように接客スペース用建物ユニット３を配置する。アンカー２１によって収納庫用建物ユニット１１と同様に接客スペース用建物ユニット３を地面に固定する。接客スペース用建物ユニット３と収納庫用建物ユニット１１は組立てた状態でトラック等に積載して運ぶことができるため、組立・解体の必要がなく、容易に設置や移転をすることができる。従って、店舗用建物１を移転する際はアンカーを打ち直し、内装と外装をリフォームするだけで、再び店舗用建物として利用することができる。【選択図】        図３
0003183701.tif 000002
【実用新案登録請求の範囲】
【請求項１】
箱型で運搬可能な接客スペース用建物ユニットと箱型で運搬可能な収納庫用建物ユニットとを具備する店舗用建物において、前記接客スペース用建物ユニットは客用出入口と前記収納庫用建物ユニットへの連絡用出入口とを有し、前記収納庫用建物ユニットは連絡用出入口を有しており、前記接客スペース用建物ユニットと収納庫用建物ユニットは連絡用出入口どうしが互いに対向するように設置され、且つ前記接客スペース用建物ユニットと収納庫用建物ユニットはアンカーによって設置場所に固定されて、且つ前記アンカーによる固定が解除可能であることを特徴とする店舗用建物。
【請求項２】
請求項１に記載した店舗用建物において、前記収納庫用建物ユニットには衣類用ハンガーを掛けることができるレールが上下方向へ多段に備えられていることを特徴とする店舗用建物。
【請求項３】
請求項１または２に記載した店舗用建物において、店舗用建物はクリーニング店用であることを特徴とする店舗用建物。
【考案の詳細な説明】
【技術分野】
【０００１】
本考案は店舗用建物に係り、特に設置や移転が容易な店舗用建物に関するものである。
【背景技術】
【０００２】
業種によっては店舗用建物の設置や移転が頻繁に行われる。このような店舗用建物には、特許文献１に記載されるプレハブ構造などの一般の建物よりも組立の容易なものが用いられる。
【先行技術文献】
【特許文献】
【０００３】
【特許文献１】特開２００１−２７１５０３号公報
【考案の概要】
【考案が解決しようとする課題】
【０００４】
しかしながら、このようなプレハブ構造の建物は設置や移転を行う度に組立・解体しなければならず、作業上の手間とコストがかかるという問題がある。
【０００５】
本発明は上記従来の問題に着目して為されたものであり、組立・解体が不要な店舗用建物の提供を、その目的とする。
【課題を解決するための手段】
【０００６】
本考案は上記課題を解決するためになされたものであり、請求項１の考案は、箱型で運搬可能な接客スペース用建物ユニットと箱型で運搬可能な収納庫用建物ユニットとを具備する店舗用建物において、前記接客スペース用建物ユニットは客用出入口と前記収納庫用建物ユニットへの連絡用出入口とを有し、前記収納庫用建物ユニットは連絡用出入口を有しており、前記接客スペース用建物ユニットと収納庫用建物ユニットは連絡用出入口どうしが互いに対向するように設置され、且つ前記接客スペース用建物ユニットと収納庫用建物ユニットはアンカーによって設置場所に固定されて、且つ前記アンカーによる固定が解除可能であることを特徴とする店舗用建物である。
【０００７】
請求項２の考案は、請求項１に記載した店舗用建物において、前記収納庫用建物ユニットには衣類用ハンガーを掛けることができるレールが上下方向へ多段に備えられていることを特徴とする店舗用建物である。
【０００８】
請求項３の考案は、請求項１または２に記載した店舗用建物において、店舗用建物はクリーニング店用であることを特徴とする店舗用建物である。
【考案の効果】
【０００９】
本考案の店舗用建物によれば、設置や移転を行う度に組立・解体をする必要がなく、外装と内装を整えるだけで簡単に開店することができる。
【図面の簡単な説明】
【００１０】
【図１】本考案の実施の形態に係る店舗用建物の斜視図である。
【図２】図１の店舗用建物の敷設方法を説明する斜視図である。
【図３】図１の店舗用建物が敷設された状態を示す斜視図である。
【図４】図１の店舗用建物の外装を取り付ける方法を説明する斜視図である。
【図５】図１の店舗用建物の平面図である。
【図６】図１の店舗用建物の内装を示す斜視図である。
【考案を実施するための形態】
【００１１】
本考案の実施の形態に係る店舗用建物１を図面にしたがって説明する。
符号３はクリーニング店用の接客スペース用建物ユニットを示し、この接客スペース用建物ユニット３は幅４４００ｍｍ、高さ３１１０ｍｍ、奥行２２００ｍｍの矩形の箱型を成している。接客スペース用建物ユニット３の前面左側には客用出入口５が形成されており、背面には客用出入口５と対向する位置に連絡用出入口７が形成されている。また、接客スペース用建物ユニット３の底部裏面の複数の脚部９が設けられている。脚部９は接客スペース用建物ユニット３の底部裏面の四隅等に配置されている。
【００１２】
符号１１は衣類等を収納する収納庫用建物ユニットを示し、この収納庫用建物ユニット１１は接客スペース用建物ユニット３と略同様の形状を成している。収納庫用建物ユニット１１は、連絡用出入口７と対向する位置に連絡用出入口１３が形成されており、この連絡用出入口１３は連絡用出入口７と同型を有している。また、収納庫用建物ユニット１１は接客スペース用建物ユニット３と同様に底部裏面に脚部１５が６つ固着されている。
接客スペース用建物ユニット３、収納庫用建物ユニット１１の底部の縁部には複数の挿通穴が形成されている（図では見えない位置となっている）。
アンカー本体１７とナット１９とから成るアンカー１６の構成について説明する。
丸棒状のアンカー本体１７の上端部には雄ネジ１７ａが形成され、下端部にはフランジ１７ｂが固定されている。後述するようにナット１９は雄ネジ１７ａに螺合する。
【００１３】
接客スペース用建物ユニット３と収納庫用建物ユニット１１の設置方法について図２、３にしたがって説明する。
接客スペース用建物ユニット３、収納庫用建物ユニット１１の設置場所にアンカー本体１７を前記挿通穴に対応して配置する。すなわち、アンカー本体１７の下端部を地中に埋設し、必要に応じてコンクリートで固めて固定し、接客スペース用建物ユニット３、収納庫用建物ユニット１１の設置場所に前記挿通穴に対応して配置する。アンカー本体１７の下端部にはフランジ１７ｂが固定されているので、アンカー本体１７は強固に抜け止めされた状態となる。
【００１４】
そして、クレーン等を用いて接客スペース用建物ユニット３、収納庫用建物ユニット１１を設置場所に設置する。このとき、接客スペース用建物ユニット３、収納庫用建物ユニット１１の底部の挿通穴に設置面から突出するアンカー本体１７の上端部を通す。次いで、雄ネジ１７ａにナット１９を螺合させて締め付ける。これにより、接客スペース用建物ユニット３、収納庫用建物ユニット１１がアンカー１６によって設置場所に固定される。なお、アンカー本体１７の挿通穴から突出する部分は適宜な部材によって覆うようにする。
これらの接客スペース用建物ユニット３と収納庫用建物ユニット１１は小型であるため、例えば駐車場等の車２台分のスペースであっても設置することができる。
【００１５】
店舗用建物１の外装について図４にしたがって説明する。
符号２３は装飾シートを示し、この装飾シート２３は表面が装飾面となっており、店名等の装飾が施されている。装飾シート２３の裏面は粘着面となっている。装飾シート２３は接客スペース用建物ユニット３と収納庫用建物ユニット１１の外面の面積を複数に分割した大きさに形成されており、これらの装飾シート２３を店舗用建物１の外壁面に貼り付けることによって、店舗用建物１の装飾面が形成される。
装飾シート２３を使用すれば、ペンキ等で塗装する必要がないため、簡単に外装を形成することができる。
また、外装パネル２５等を取り付ければ、外装面積を拡大することができる。
さらに、接客スペース用建物ユニット３と収納庫用建物ユニット１１の脚部９、１５の周りをスカート２６で覆い、脚部９、１５とアンカー１７、２３を隠す。
【００１６】
店舗用建物１の内装について図５、６にしたがって説明する。
符号２７はハンガーを示し、このハンガー２７は衣類を吊り下げる水平方向に伸びるレール２９と、レール２９を支持する支持棒３０とから構成されている。支持棒３０は収納庫用建物ユニット１１の床と天井に対し突っ張り固定されている。レール２９は収納庫用建物ユニット１１の壁面に沿うように、上下方向へ二段に配置されている。
また、接客スペース用建物ユニット３は、クリーニング店として接客しやすい環境を整えるため、カウンター３１や、作業台３３、棚３５等を設置する。
次いで、連絡用出入口７と連絡用出入口１３に引き戸３７を取り付ける。さらに、連絡用出入口７に引き戸タイプの自動ドア３９を取り付ける。
【００１７】
接客スペース用建物ユニット３、収納庫用建物ユニット１１を撤去する作業について説明する。
まず、ナット１９を緩めてアンカー本体１７から外す。これにより、アンカー１６による接客スペース用建物ユニット３、収納庫用建物ユニット１１の固定が解除される。そして、クレーン等を用いて接客スペース用建物ユニット３、収納庫用建物ユニット１１を吊り上げて撤去する。なお、アンカー本体１７の設置面から突出している部分は切断する。
このように、接客スペース用建物ユニット３、収納庫用建物ユニット１１の撤去作業は極めて簡単に行うことが可能である。
接客スペース用建物ユニット３と収納庫用建物ユニット１１は組立てた状態でトラック等に搭載して運搬することができるため、組立・解体の必要がなく、容易に設置、移転することができる。従って、店舗用建物１を移転する際はアンカーを打ち直し、内装と外装をリフォームするだけで、再び店舗用建物として利用することができる。
【００１８】
以上、本考案の実施の形態について詳述してきたが、具体的構成は、この実施の形態に限られるものではなく、本考案の要旨を逸脱しない範囲における設計の変更などがあっても考案に含まれる。
例えば、通路用出入口としての連絡用出入口７、１３は、互いに対向する位置であればどの位置に形成してもよい。
クリーニング店だけでなく、たこ焼き屋等、他業種の店舗用建物に使用してもよい。
また、内装や外装は、店舗用建物の用途によって適宜変更してもよい。
アンカーは、上記実施の形態に示した構造のものに限られず、他の構造のものを使用してもよい。
【産業上の利用可能性】
【００１９】
店舗用建物の製造業に利用可能性を有する。
【符号の説明】
【００２０】
１…店舗用建物                      ３…接客スペース用建物ユニット
５…客用出入口                      ７…連絡用出入口
９…脚部                          １１…収納庫用建物ユニット
１３…連絡用出入口                  １５…脚部
１６…アンカー                      １７…アンカー本体
１７ａ…雄ネジ                      １７ｂ…フランジ
１９…ナット                        ２３…装飾シート
２５…外装パネル                    ２６…スカート
２７…ハンガー                      ２９…レール
３０…支持棒                        ３１…カウンター
３３…作業台                        ３５…棚
３７…引き戸                        ３９…自動ドア
【図１】
0003183701.tif 000003
【図２】
0003183701.tif 000004
【図３】
0003183701.tif 000005
【図４】
0003183701.tif 000006
【図５】
0003183701.tif 000007
【図６】
0003183701.tif 000008
【手続補正書】
【提出日】平成25年3月14日(2013.3.14)
【手続補正１】
【補正対象書類名】図面
【補正対象項目名】図１
【補正方法】変更
【補正の内容】
【図１】
0003183701.tif 000009
【手続補正２】
【補正対象書類名】図面
【補正対象項目名】図４
【補正方法】変更
【補正の内容】
【図４】
0003183701.tif 000010